(57)【要約】【課題】  平面視Ｌ字形状に配置されたキャビネットのコーナー近傍にワゴンを収容させた際に、キャビネットの前面とワゴンとが接触し難くなるキャビネットを提供すること。【解決手段】  少なくとも第１と第２の収納体３、５が直角に組み合わされ平面視Ｌ字状に配置され、直角の内側角部の左右いずれか一方の収納体３の前面に開口部を有する台所用のキャビネット本体１と、このキャビネット本体１の収納体３の内部空間１６に収容されるワゴン１７とからなるキャビネット１であって、開口部１５は、内側角部から上下に延びる所定寸法の幅片３４を残して収納体３の前面に開設されている。【選択図】  図３
2005287695.tif 000002
【特許請求の範囲】
【請求項１】
少なくとも第１と第２の収納体が直角に組み合わされ平面視Ｌ字状に配置され、前記直角の内側角部の左右いずれか一方の収納体の前面に開口部を有する台所用のキャビネット本体と、該キャビネット本体の前記いずれかの収納体の内部空間に収容されるワゴンとからなるキャビネットであって、前記開口部は、前記内側角部から上下に延びる所定寸法の幅片を残して一方の収納体の前面に開設されていることを特徴とするキャビネット。
【請求項２】
前記幅片の幅が、他の収納体の前面に突出している把持部材の突出長よりも大きく形成されている請求項１に記載のキャビネット。
【請求項３】
前記幅片は、前記ワゴンの出し入れ方向に延びる案内片を有しており、この案内片の表面が硬質樹脂材で構成されている請求項１または２に記載のキャビネット。
【発明の詳細な説明】
【技術分野】
【０００１】
本発明は、少なくとも２つの収納体が直角に組み合わされた平面視Ｌ字状の台所用のキャビネットに関する。
【背景技術】
【０００２】
従来の台所用のキャビネットは、キャビネット本体の天板の下方にワゴン収納空間を形成し、キャスターが取り付けられた床面を走行可能なワゴンを、ワゴン収納空間に出入り自在に収納しているものがある（例えば、特許文献１参照）。
【０００３】
また、台所空間を有効に利用するために、台所の角に配置できるように、平面視Ｌ字形状に配置されたキッチンユニットがある（例えば、特許文献２参照）。
【０００４】
【特許文献１】特開２００１−４６１６３号公報（第２頁、第１図）
【特許文献２】特開平５−１６８５３５号公報（第２頁、第１図）
【発明の開示】
【発明が解決しようとする課題】
【０００５】
しかしながら、特許文献１に記載されているワゴンを、特許文献２に記載されている平面視Ｌ字形状に配置されたキャビネット（キッチンユニット）のコーナー近傍に設けた場合、ワゴンがキャビネットに形成された開口部から出入りする際に、ワゴンが出入する開口部とコーナーを介して対向しているキャビネットの前面と、ワゴンとが接触して削れや擦れなどの傷が前記前面につくことがあり、キャビネットの美観が低下してしまうことがある。
【０００６】
本発明は、このような問題点に着目してなされたもので、平面視Ｌ字形状に配置されたキャビネットのコーナー近傍にワゴンを収容させた際に、キャビネットの前面とワゴンとが接触し難くなるキャビネットを提供することを目的とする。
【課題を解決するための手段】
【０００７】
上記課題を解決するために、本発明の請求項１に記載のキャビネットは、少なくとも第１と第２の収納体が直角に組み合わされ平面視Ｌ字状に配置され、前記直角の内側角部の左右いずれか一方の収納体の前面に開口部を有する台所用のキャビネット本体と、該キャビネット本体の前記いずれかの収納体の内部空間に収容されるワゴンとからなるキャビネットであって、前記開口部は、前記内側角部から上下に延びる所定寸法の幅片を残して一方の収納体の前面に開設されていることを特徴としている。
この特徴によれば、L型に配置されたキャビネットの左右いずれか一方の収納体に収容されたワゴンが、この収納体に形成された開口部から出入する際に、他方の収納体の前面と、ワゴンとの距離を幅片の所定寸法の長さだけ離して出し入れさせることが可能となり、ワゴンを他方の収納体の前面と接触し難くすることができる。
【０００８】
本発明の請求項２に記載のキャビネットは、請求項１に記載のキャビネットであって、前記幅片の幅が、他の収納体の前面に突出している把持部材の突出長よりも大きく形成されていることを特徴としている。
この特徴によれば、幅片の幅が把持部材の突出長よりも大きいため、ワゴンが開口部から出入する際に、ワゴンが把持部材に当り難くなる。
【０００９】
本発明の請求項３に記載のキャビネットは、請求項１または２に記載のキャビネットであって、前記幅片は、前記ワゴンの出し入れ方向に延びる案内片を有しており、この案内片の表面が硬質樹脂材で構成されていることを特徴としている。
この特徴によれば、ワゴンが出し入れされる際に、ワゴンの側面が、表面が硬質樹脂材で構成された案内片に接触されて出し入れされるので、ワゴンが傷つくことなく案内片によってガイドされ、スムーズにワゴンを出し入れすることができる。
【発明を実施するための最良の形態】
【００１０】
本発明の実施例を以下に説明する。
【実施例】
【００１１】
本発明の実施例を図面に基づいて説明すると、先ず図1は、本発明の実施例におけるキャビネット本体の全体像を示す斜視図である。図１の符号１は、本発明が適用されたシステムキッチン等に用いられるキャビネット本体であり、このキャビネット本体１における図１中の左側には、シンク２等が設けられた本実施例における第１の収納体としての流し台３が配置されており、図１中の右側には、ガスコンロ４等が設けられた本実施例における第２の収納体としてのガス台５が配置されている。
【００１２】
流し台３とガス台５は、台所の壁面に沿って互いに直角に組み合わされて平面視でＬ字形状に配置されており、この流し台３とガス台５は、１枚のＬ字形の天板６によって連結されている。流し台３とガス台５の下方には、皿や鍋等の収納物を収納できる収納部７、８（図３参照）が形成されており、この収納部７、８を隠蔽できる扉９、１０が収納部７、８の前側に揺動可能に枢着されている。
【００１３】
流し台３に設けられている扉９には、扉９の開閉の際に使用者が把持する把手１１が取り付けられているとともに、ガス台５に設けられている扉１０には、本実施例における把持部材としての把手１２が取り付けられており、これらの把手１１、１２は平面視で略コ字形状をなし、扉９、１０の前面に突設されている。また、ガス台５に配置されているガスコンロ４には、ガスコンロ４を操作するためのつまみ１４やグリルを開放させるための把持部材としての把手１３が突設されている。
【００１４】
流し台３のコーナー寄りの前面には、開口部１５が開設されており、流し台３の開口部１５の内方に形成された本実施例における内部空間としての収納空間１６（図３参照）にワゴン１７を収容できるようになっていて、流し台３の開口部１５からワゴン１７を出し入れできるようになっている。
【００１５】
ワゴン１７について図２を参照して詳述すると、図２は、（ａ）ワゴン１７を示す斜視図であり、（ｂ）は、ワゴン１７の引出し１９が引出された状態を示す斜視図である。以下、図２の右下を前方として説明する。
【００１６】
このワゴン１７は箱形状をなす筐体２０で構成されており、筐体２０の下部には、前後４箇所にキャスター２１が取り付けられており、ワゴン１７が床面を自在に走行できるようになっている。キャスター２１は、ワゴン１７を移動方向に対応させるために水平方向に回転可能になっているとともに、これらのキャスター２１には、使用者が足で踏むことでキャスター２１を固定できるロック機構（図示略）が設けられている。
【００１７】
ワゴン１７の筐体２０の上部には、天板２２が設けられており、台所で使用する台所用品を載置できるようになっていて、この天板２２は、後方に行くに従い狭くなるように平面視で略台形状をなし、天板２２の後方の角部２２ａ、２２ｂは、平面視で滑らかな曲線をなすように構成されている。
【００１８】
また、ワゴン１７には、上下２段の引出し１８、１９が設けられており、この引出し１８、１９の内部には、収納物を収納できる収納箱２３が設けられている。収納箱２３の前面に設けられている前面板２４、２５には、平面視で略コ字形状をしている把手２６、２７が突設されており、収納箱２３内の収納物を取り出す際には、把手２７を把持して引出し１９を前方へ引出すことで、図２（ｂ）に示すように、引出し１９の収納箱２３が開放されるようになっている。
【００１９】
ワゴン１７の筐体２０の側面における前端には、上下方向に延びるスペーサ２８が取り付けられており、このスペーサ２８の後面には、後方に行くに従って薄くなるようなテーパー面が形成されていて、スペーサ２８の前面は、引出し１８、１９が閉鎖状態の時に、引出し１８、１９の前面板２４、２５の左右端部によって覆われるようになっている。
【００２０】
上下の引出し１８、１９の間には、左右方向に横長に形成された把手２９がワゴン１７の筐体２０及びスペーサ２８に固着されており、ワゴン１７を流し台３の開口部１５から出し入れする際には、この把手２９を掴んでワゴン１７を移動させることができる。
【００２１】
図３は、キャビネット本体１を示す横断平面図であり、以下、図３の下側を前方として説明すると、台所の壁面に沿って設置された流し台３のコーナー部には、ワゴン１７等を収容できる収納空間１６が形成されており、この収納空間１６の図３中の左側には、皿や鍋等の収納物を収納できる収納部７が形成されていて、収納空間１６と収納部７とは側板３０によって仕切られている。
【００２２】
また、流し台３と直角に組み合わされたガス台５にも収納部８が形成されており、このガス台５の収納部８と、流し台３のコーナー部に形成された収納空間１６は、隔壁３１によって仕切られている。更に、流し台３とガス台５に設けられた収納部７、８を隠蔽する扉９、１０の表面側には、化粧板３２、３３が取り付けられており、キャビネット本体１の使用者の好みに合わせたデザインの化粧板３２、３３を取り付けてキャビネット本体１を製造できるようになっている。
【００２３】
隔壁３１とワゴン１７を出し入れできる開口部１５との間には、本実施例における幅片としての上下方向に延びる板材３４が設けられており、この板材３４の表面側には、化粧板３５が取り付けられていて、ガス台５の表面に取り付けられた化粧板３６と直角をなすように配置され、本実施例における内側角部を構成している。板材３４は水平方向の幅の寸法（α）が、ガス台５の扉１０に設けられた把手１２や、ガスコンロ４に設けられているつまみ１４や把手１３の突出長（β）よりも大きくなるように形成されている。
【００２４】
板材３４の開口部１５に面する部位には、硬質樹脂材で構成された本実施例における案内片としての枠部材３７が固着されており、枠部材３７の長手方向が板材３４の上下方向に延びるとともに、枠部材３７の幅方向が、ワゴン１７の出し入れ方向（前後方向）に延びるように、板材３４の側面の前後方向に渡って取り付けられている。
【００２５】
ワゴン１７を収納空間１６から出すときには、ワゴン１７に設けられている上下の引出し１８、１９の間に配置されている把手２９を掴んで前方に引出すことができ、ワゴン１７が引出されるときには、ワゴン１７のスペーサ２８や筐体２０の側面が、板材３４の枠部材３７に接触されながら引出されるようになっており、この枠部材３７が硬質樹脂材で形成されていることによって、ワゴン１７が傷つくことなくガイドされ、スムーズに出されるようになっている。
【００２６】
また、ワゴン１７を前方に引出すときに、流し台３の開口部１５が内側角部から所定幅（所定寸法α）の板材３４を残して開設されているため、前方に引出されたワゴン１７は、ガス台５の表面に設けられた化粧板３３、３６と離れて走行されるようになるので、ワゴン１７がガス台５の化粧板３３、３６と接触し難くなり、削れや擦れなどの傷が、ガス台５の化粧板３３、３６につくことを防ぐことができるとともに、板材３４の水平方向の所定幅（α）が、ガス台５の扉１０に設けられた把手１２や、ガスコンロ４に設けられている把手１３やつまみ１４の突出長（β）よりも大きいので、走行されるワゴン１７が把手１２、１３やつまみ１４に当り難くなっている。
【００２７】
そして、ワゴン１７を収納するときには、ワゴン１７の後方から開口部１５に入れられるようになっており、ワゴン１７の天板２２の後方の角部２２ａ、２２ｂが、滑らかな曲線をなしているとともに、ワゴン１７の天板２２が後方に行くに従い狭くなるように形成されていることで、ワゴン１７を流し台３の開口部１５から入れ易くなっている。更に、枠部材３７によってガイドされるので、スムーズにワゴン１７を収納空間１６内に収容できる。
【００２８】
また、ワゴン１７の天板２２の後方の角部２２ａ、２２ｂが曲線をなすことで、流し台３の側板３０や板材３４に角部２２ａ、２２ｂが接触しても、側板３０や板材３４に傷がつかないようになっており、ワゴン１７が収納空間１６に収納されたときに、ワゴン１７の後端は、流し台３の後板４４に当接されるようになっている。更に、ワゴン１７の引出し１８、１９の前面板２４、２５の水平方向の幅は、流し台３の開口部１５の水平方向の幅とほぼ同じになるように形成されているので、流し台３の収納空間１６をワゴン１７によって隠蔽することができるようになっている。
【００２９】
流し台３に設けられている収納空間１６におけるワゴン１７の右側方には、コーナー用収納棚装置３８が配置されており、このコーナー用収納棚装置３８について図４を参照して説明すると、図４は、ワゴン１７がキャビネット本体１から出された状態を示す横断平面図であり、以下、図４の下側を前方として説明する。
【００３０】
流し台３の収納空間１６の開口部１５の右側方の奥側には、長手が水平方向をなす可動レール３９が、板材３４と隔壁３１に設けた支持フレーム４０を介して配置されており、この可動レール３９にピン４１により水平回動自在に枢着されている棚本体４２が、開口部１５に向かって移動可能となっている。棚本体４２は、複数のワイヤを結合することにより、後面が円弧状に湾曲する扁平な籠状に形成され、収納物を収納できるようになっており、図４中における棚本体４２の左側方には、把手４３が取り付けられている。
【００３１】
棚本体４２の左側方に配置されるワゴン１７を開口部１５から引出すと、使用者が棚本体４２に設けられた把手４３を掴むことができるようになっており、使用者が棚本体４２把手４３を掴んで左方に向かって引くと、棚本体４２は、可動レール３９と共に、可動レール３９の左端及びピン４１が、開口部１５の右側端と近接する位置まで移動させることができ、この位置で棚本体４２を、ピン４１を中心として開口部１５側に水平に９０°回転させることができるので、棚本体４２への収納物の出し入れを容易に行えるようになっている。
【００３２】
棚本体４２が、収納空間１６の奥側に配置された状態において、収納空間１６からワゴン１７が出されると、開口部１５から棚本体４２に収納された収納物が露出されるようになるが、流し台３の開口部１５の右側に配置された板材３４の長さの分だけ棚本体４２が開口部１５から奥側に配置されるようになるので、板材３４が棚本体４２の目隠し板の役目を果たし、キャビネット本体１の美観を向上させることができるようになっている。
【００３３】
以上、本発明の実施例を図面により説明してきたが、具体的な構成はこれら実施例に限られるものではなく、本発明の要旨を逸脱しない範囲における変更や追加があっても本発明に含まれる。
【００３４】
例えば、上記実施例では、流し台が第１の収納体とされ、ガス台が第２の収納体とされ、第１の収納体の流し台に収納空間が形成されて、開口部からワゴンが出し入れできるようになっていたが、本発明はこれに限定されるものではなく、第２の収納体のガス台に収納空間を形成し、内側角部から幅片としての板材を残してガス台に開口部を開設しても上記実施例と同様な効果を得ることができる。
【００３５】
また、上記実施例では、案内片として硬質樹脂材で構成された枠部材が設けられていたが、本発明はこれに限定されるものではなく、板材の開口部に面する部位に、メラミン等の硬質樹脂を塗装してもよい。
【図面の簡単な説明】
【００３６】
【図１】本発明の実施例におけるキャビネット本体の全体像を示す斜視図である。
【図２】（ａ）ワゴンを示す斜視図であり、（ｂ）は、ワゴンの引出しが引出された状態を示す斜視図である。
【図３】キャビネット本体を示す横断平面図である。
【図４】ワゴンがキャビネット本体から出された状態を示す横断平面図である。
【符号の説明】
【００３７】
１                キャビネット本体
２                シンク
３                流し台（第１の収納体）
４                ガスコンロ
５                ガス台（第２の収納体）
６                天板
７、８            収納部
９、１０          扉
１１              把手
１２、１３        把手（把持部材）
１４              つまみ
１５              開口部
１６              収納空間（内部空間）
１７              ワゴン
１８、１９        引出し
２０              筐体
２１              キャスター
２２              天板
２２ａ、２２ｂ    角部
２３              収納箱
２４、２５        前面板
２６、２７        把手
２８              スペーサ
２９              把手
３０              側板
３１              隔壁
３２、３３        化粧板
３４              板材（幅片）
３５、３６        化粧板
３７              枠部材（案内片）
３８              収納棚装置
３９              可動レール
４０              支持フレーム
４１              ピン
４２              棚本体
４３              把手
４４              後板
【図１】
2005287695.tif 000003
【図２】
2005287695.tif 000004
【図３】
2005287695.tif 000005
【図４】
2005287695.tif 000006